(57)【要約】  【課題】楽器本体の後部に鍵盤蓋の一部を落とし込む構造を採用し、且つ開閉動作時の危険がなく外観を損ねることなく装備可能なスライド蓋機構を提供する。  【解決手段】連結された前蓋３１及び後蓋３２の開閉をガイドする第１ガイド部５１及び第２ガイド部５２を備え、第１ガイド部５１は楽器ケース１０側壁内面に溝として形成され、第２ガイド部５２は鍵盤蓋３０の開放終部に対応して、後方へ落ち込むように傾斜した落ち込み部５２３を備え、鍵盤蓋３０は、前蓋３１の前部から両側方に突出した前部支持部３１１と、前蓋３１の後部又は後蓋３２の前部から両側方に突出した中間支持部３１２と、後蓋３２の後部に設けられて第２ガイド部５２に案内される後部支持部３２０とを備えており、第１ガイド部５１は、前部支持部３１１及び中間支持部３１２を案内するガイドラインとして形成されているスライド蓋機構。【選択図】図１
2010224139.tif 000002
【特許請求の範囲】
【請求項１】
連結部によって折れ曲がり可能に連結された前蓋及び後蓋を有した鍵盤蓋と、楽器ケースの側壁内側に設けられ鍵盤蓋を開閉自在に支持し開閉動作をガイドするガイド部とを備え、閉蓋時に上記鍵盤蓋が鍵盤部を覆い、開蓋時に上記連結部によって折れ曲がり上記後蓋を後部下方へ落とし込むようにガイドするスライド蓋機構において、
上記ガイド部は、上記楽器ケース側壁内面に溝として形成され前後方向に延びる第１ガイド部と、上記楽器ケース側壁における前後方向の中間位置から後方へ延びる第２ガイド部とを備え、
上記鍵盤蓋は、上記前蓋の前部から両側方に突出し上記第１ガイド部の溝に係合して案内される前部支持部と、上記前蓋の後部又は後蓋の前部から両側方に突出し上記第１ガイド部の溝に係合して案内される中間支持部と、上記後蓋の後部に設けられて上記第２ガイド部に案内される後部支持部とを備えており、
上記第２ガイド部は、上記鍵盤蓋の開放終部の動作範囲に対応して、上記後部支持部を案内する部位が、後方へ行くに従って落ち込むように傾斜した落ち込み部とされ、
上記第１ガイド部は、上記前部支持部及び中間支持部を鍵盤蓋の開閉動作範囲の始端から終端に亘って案内するように少なくとも１本のガイドラインとして形成されていることを特徴とするスライド蓋機構。
【請求項２】
上記第２ガイド部は、上記後部支持部を案内する面にラックが形成されており、前記後部支持部は上記ラックに噛合するピニオンとされ、該ピニオンは、上記楽器ケースの左右両側に設けられると共に、共通の軸に固着されており、上記第１ガイド部は、前端が前記楽器ケースの側壁前端部に位置し、後部は上記第２ガイド部の上方において該前端より後方まで延びていることを特徴とする請求項１に記載のスライド蓋機構。
【請求項３】
上記前蓋が、閉蓋時に鍵盤の前方を覆う垂下板を前端部に備えており、上記前部支持部は該垂下板の下端部に設けられ、上記第１ガイド部は、上記垂下板を鍵盤前方を覆う位置と白鍵前端より高い位置との間で上下動させ得るように前端部が上下方向に延びていることを特徴とする請求項１又は２に記載のスライド蓋機構。
【請求項４】
上記前蓋及び後蓋は、下端部において相互に連結されており、上部は閉蓋状態から上記前蓋の前端を上昇させる際に接触しないように、相互に向き合う面が切り欠かれていることを特徴とする請求項１から３のいずれかに記載のスライド蓋機構。
【発明の詳細な説明】
【技術分野】
【０００１】
本発明は、電子ピアノ、電子オルガン等の鍵盤楽器のスライド鍵盤蓋機構に関する。
【０００２】
本明細書及び特許請求の範囲においては、鍵盤楽器及び鍵盤蓋における演奏者に近い側を前方、遠い側を後方として記載する。
【背景技術】
【０００３】
電子鍵盤楽器のスライド蓋としては、全体が一体の板材で構成されたものや、細長い多数の板材を前後方向に鎧戸式に連結した構成のものが多用されている。前者は、一体的な板材による高級感がある反面、開蓋時に奥行き方向に鍵盤蓋を納めるためのスペースを必要とするため、楽器本体の前後方向の寸法が大きくなる。後者の場合は、開蓋時に鍵盤蓋を曲折させながら楽器本体の後部下方へ移動させることができるので、楽器本体の前後方向の寸法を小さくすることができるが、連結された細長い板材は高級感を欠いたものとなりやすい。
【０００４】
一方、鍵盤楽器としての高級感と前後寸法の低減とを兼ね備えるべく、鍵盤蓋を前蓋と後蓋の２つに分割し、閉蓋時に両蓋部で鍵盤部を覆い、開蓋時に後方への移動と共に後蓋を楽器本体の後部下方へ落とし込むようにガイドする構造のものが提案されている。例えば、特許文献１に示されたスライド蓋の開閉機構は、図１１，図１２に示すように、蝶番で折れ曲がり可能に連結された前蓋１１１と後蓋１１２とでスライド蓋１１０を構成し、鍵盤蓋の開閉動作の際に、前蓋１１１に設けられた軸部１２１及び後蓋に設けられたピニオン１２２を、楽器ケースの両側に設けた前蓋ガイド部材１３１及びピニオンガイド用ラック１３２でそれぞれガイドする構造となっている。そして、ラック１３２は後方へ向けて円弧状に下降し、下端部がほぼ垂直に形成されている。スライド蓋１１０を開く際には、前蓋１１１と共に後方へ移動する後蓋１１２は、ラック１３２にガイドされて移動し、楽器ケースの後部で垂直に落ち込んだ状態となる。したがって、開蓋状態では、折れ曲がった鍵盤蓋の前後方向の寸法が短くなり、これに基づいて楽器ケースの前後方向寸法も小さくすることができる。
【０００５】
一方、特許文献１に示されたような楽器ケースの後部に後蓋をガイドして落とし込む機構では、鍵盤蓋を開く過程で、後蓋１１２の後部が落ち込んだ際にも、後蓋１１２の前部及び前蓋１１１は楽器本体１００の上部の位置を維持するように設定される。これは、落ち込みによって垂直に近い姿勢をとった後蓋１１２が楽器本体１００の高さ（鍵盤を支持する棚板１０１から天板１０２までの高さ）に近い高さとなり、これに伴って後蓋１１２の前部が楽器本体１００内の高い位置となるからである。また、前蓋１１１は、開いた際に天板１０２との間の隙間が大きくなるとその隙間を通して楽器本体の内部が見える状態となり外観を損ねるので、その隙間が小さくなるよう、開蓋時に楽器本体１００の上部の位置に保持される。すなわち、開蓋時には、後蓋１１２の後部のみが楽器本体の後部へ落ち込み、後蓋１１２の前部及び前蓋１１１は高さを維持して後方へ移動することが求められる。
【０００６】
これに対処すべく、特許文献１の機構では、楽器ケース１００の１対の側板１０３内面から内側へひれ状に突出した支持部１０４を設けている。そして、鍵盤蓋開閉の際には、後蓋１１２の左右両側の端部、並びに前蓋１１１の左右両側の端部に設けたそり形状の摺動部材１１１ａが、支持部１０４上に乗り上げながら移動することにより、これらの部位の高さを維持するようにしている。
【先行技術文献】
【特許文献】
【０００７】
【特許文献１】特開２００７−１０２０４５号公報
【発明の概要】
【発明が解決しようとする課題】
【０００８】
上記支持部１０４は、１対の側板１０３内面から内側へ突出しており、スライド蓋１１０の上記部位の高さを維持するために、鍵１０５より上方において、鍵の前後方向の中間位置から後方へ延びている。スライド蓋の左右の端部を手で持って開く動作をしたときに、鍵１０５の前後方向の中間位置で手が支持部１０４に当たる畏れがある。特に、後蓋１１２が楽器本体後部へ落ち込む機構においては、スライド蓋の開放と共に後蓋の重量でスライド蓋の移動速度が増大し易い。したがって、この機構は、スライド蓋と共に移動した手が支持部１０４に強く衝突する畏れがあるという危険を伴う。
【０００９】
また、スライド蓋を閉じた際に鍵盤の前方を覆うフロントカバー１１３は、開蓋過程の終わり近くで支持部１０４が設けられている位置に達するので、その干渉を避けるために、左右両端部に切欠きが形成されている。この切欠きは閉蓋時に楽器本体の正面から見ると、空所として見えることになり、外観を損ねてしまう。
【００１０】
本発明は、このような従来技術の問題を解決し、楽器本体の後部に鍵盤蓋の一部を落とし込む構造を採用し、且つ開閉動作時の危険がなく外観を損ねることなく装備可能なスライド蓋機構を提供することを目的とする。
【課題を解決するための手段】
【００１１】
本発明は、上記目的を達成するため、連結部（ヒンジ３３）によって折れ曲がり可能に連結された前蓋３１及び後蓋３２を有した鍵盤蓋と、楽器ケース１０の側壁内側に設けられ鍵盤蓋３０を開閉自在に支持し開閉動作をガイドするガイド部５０とを備え、閉蓋時に上記鍵盤蓋３０が鍵盤部を覆い、開蓋時に上記連結部によって折れ曲がり上記後蓋３２を後部下方へ落とし込むようにガイドするスライド蓋機構において、上記ガイド部５０は、上記楽器ケース１０側壁内面に溝として形成され前後方向に延びる第１ガイド部５１と、上記楽器ケース１０側壁における前後方向の中間位置から後方へ延びる第２ガイド部５２とを備え、上記鍵盤蓋３０は、上記前蓋３１の前部から両側方に突出し上記第１ガイド部５１の溝に係合して案内される前部支持部３１１と、上記前蓋３１の後部又は後蓋３２の前部から両側方に突出し上記第１ガイド部５１の溝に係合して案内される中間支持部３１２と、上記後蓋３２の後部に設けられて上記第２ガイド部５２に案内される後部支持部３２０とを備えており、上記第２ガイド部５２は、上記鍵盤蓋３０の開放終部の動作範囲に対応して、上記後部支持部３２０を案内する部位が、後方へ行くに従って落ち込むように傾斜した落ち込み部５２３とされ、上記第１ガイド部５１は、上記前部支持部３１１及び中間支持部３１２を鍵盤蓋３０の開閉動作範囲の始端から終端に亘って案内するように、鍵より上方の位置で延びる少なくとも１本のガイドラインとして形成されていることを特徴とするスライド蓋機構を提供するものである。
［作用］
【００１２】
上記スライド蓋機構は、鍵盤蓋の開閉をガイドするガイド部が、第１ガイド部及び第２ガイド部を備え、第１ガイド部は、前蓋の前部支持部及び前蓋若しくは後蓋の中間支持部を案内し、第２ガイド部は後蓋の後部支持部を案内する。そして、第２ガイド部は、鍵盤蓋の開放終部の動作範囲に対応して、後部支持部の案内部位が、後方へ行くに従って落ち込むように傾斜した落ち込み部とされている。したがって、開蓋時に後蓋は落ち込み部へと案内されて楽器ケースの後部下方へと移動する。その結果、開蓋時の鍵盤蓋収納スペースが小さくて済み、楽器本体の前後方向の寸法を小さくすることができる。
【００１３】
また、第１ガイド部は、前部支持部及び中間支持部を鍵盤蓋の開閉動作範囲の始端から終端に亘って案内するように、鍵より上方の位置で延びる少なくとも１本のガイドラインとして形成されている。したがって、前述の従来技術のように鍵盤蓋が乗り上げながら移動する支持部、すなわち鍵の前後方向中間位置から後方へ延びる支持部を備える必要がなく、鍵盤蓋の左右の端部を手で持って開く動作をしても、鍵の前後方向中間位置で手を強く衝突させる畏れがない。
【００１４】
また、第１ガイド部は楽器ケースの側壁内面に溝として形成され、前部支持部及び中間支持部は、鍵盤蓋から両側方に突出し、第１ガイド部の溝に係合して案内される。したがって、鍵盤蓋をガイドするために楽器正面から見える切欠き等を設ける必要がなく、その切欠きを設けた場合のような外観の低下がない。
【発明の効果】
【００１５】
上記のように、本発明によれば、楽器本体の後部に鍵盤蓋の一部を落とし込む構造を採用し、且つ開閉動作時の危険がなく外観を損ねることなく装備可能なスライド蓋機構を提供することができる。
【図面の簡単な説明】
【００１６】
【図１】本発明の一実施形態に係るスライド蓋機構を備えた電子鍵盤楽器の縦断側面図である。
【図２】図１に示した電子鍵盤楽器の要部を鍵盤蓋除去状態で示す斜視図である。
【図３】図１に示したスライド蓋機構に用いられる鍵盤蓋の底面図である。
【図４】図３の鍵盤蓋の側面図である。
【図５】図１に示した電子鍵盤楽器におけるガイド部の機能部分の説明図である。
【図６】図１に示した電子鍵盤楽器における開蓋動作の一段階を示す図である。
【図７】図１に示した電子鍵盤楽器における開蓋動作の次の段階を示す図である。
【図８】図１に示した電子鍵盤楽器における鍵盤蓋の全開状態を示す図である。
【図９】本発明の他の実施形態に係るスライド蓋機構を備えた電子鍵盤楽器の縦断側面図である。
【図１０】図１０(a), (b), (c) は、各々図９におけるa−a線、b−b線、c−c線に沿う断面によりガイド部を中心に示す断面図であり、図１０(d) はガイド部に案内される支持部の一部を示す斜視図である。
【図１１】従来の電子鍵盤楽器のスライド蓋機構の一例を示す縦断側面図である。
【図１２】図１１に示したスライド蓋機構の要部の縦断正面図である。
【発明を実施するための形態】
【００１７】
以下、本発明の実施形態について添付図面を参照しつつ説明する。図面中の同一又は同種の部分については、同じ番号を付して説明を一部省略する。
【００１８】
図１は、本発明の一実施形態に係るスライド蓋機構を備えた電子鍵盤楽器の縦断側面図、図２は鍵盤蓋を外した状態でスライド蓋機構の要部を示す斜視図である。
【００１９】
この電子鍵盤楽器は、鍵盤装置２０、鍵盤蓋３０、発音等を制御する制御部４０、スピーカ（図示略）等を楽器ケース１０に装備した楽器本体１と、該楽器本体を支持する脚部２とを備えている。楽器ケース１０は、１対の側板１１と、側板間に各々延びる下部の棚板１２、上部の天板１３、前部の口棒１４、後部の背板１５を備え、天板の上に譜面板１６が起伏可能に装着されている。鍵盤装置２０は棚板１２に支持された白鍵２１及び黒鍵２２を回動可能に備えており、押離鍵状態に応じて制御パラメータを発する。制御部４０は、鍵盤後方のパネル等に配置された音響設定手段４１及び鍵盤装置２０から送られる制御パラメータを処理して楽音の発生・制御信号を発し、スピーカはこれに基づいて楽音を発する。
【００２０】
図３及び図４は、鍵盤蓋３０を示しており、図３は底面図、図４は側面図である。鍵盤蓋３０は、前蓋３１及び後蓋３２に分割され、連結部であるヒンジ３３が裏面側に設けられることにより、折れ曲がり可能に連結されている。前蓋３１の前端部には、閉蓋時に鍵盤の前方を覆う金属製の垂下板３１０が固定されている。後蓋３２の後端部には閉蓋時に上向きに延びた位置をとり、天板１３との間の隙間を覆う起立板３２５が固定されている。鍵盤蓋３０は、以下に説明するスライド蓋機構により楽器ケースに取り付けられている。
【００２１】
スライド蓋機構は、鍵盤蓋３０とガイド部５０とを備えており、鍵盤蓋３０は、ガイド部５０によって開閉動作をガイドされることにより、閉蓋時に鍵盤部を覆い、開蓋時に後蓋３２が後部下方へ落ち込むように移動する。ガイド部５０は、楽器ケース側板１１に設けられて前後方向に延びる第１ガイド部５１と、楽器ケース側板１１における前後方向の中間位置から後方へ延びる第２ガイド部５２とを備えている。
【００２２】
この実施形態では、第１ガイド部５１は、角張ったＵ字状の断面を有する樹脂製長尺材を側板１１に設けた溝に嵌め込むことにより、側板１１の内面において前後方向に延びる１本の溝状のガイドラインを形成している。
【００２３】
第２ガイド部５２は、上面に歯を有するラック５２０と、該ラックの側面に固着された取付け板５２１と、ラック５２０の上面に沿って延びるように側板１１に形成されたガイド溝５２５とで構成されており、取付け板５２１を側板１１にねじ止めすることにより側板１１に固定されている。
【００２４】
図３及び図４に示すように、前蓋３１には、前端部から側方両側へ突出した前部支持部３１１と、後端部から両側方へ突出した中間支持部３１２とが設けられ、後蓋３２には後部支持部３２０が設けられている。前部支持部３１１は、前蓋３１前端部の垂下板３１０の両側の端部に固定されたピンにより形成されており、中間支持部３１２は、前蓋３１の後端部下面にブラケット３１２ｂを介して取り付けられたピン３１２ａにより形成されている。
【００２５】
後部支持部３２０は、後蓋３２下面の両端部及び中央部に取り付けられた軸受部材３２３と、該軸受部材３２３に回転自在に支持され後蓋３２長手方向ＳＳに沿って延設した軸棒３２１と、該軸棒３２１の両端部に固着された１対のピニオン３２２とを備え、軸棒３２１の両側の軸端３２４はピニオン３２２から外側へ突出し第２ガイド部５２のガイド溝５２５に係合する突部を形成している。１対のピニオン３２２は、軸棒３２１に固着されているので、同じ位相で回転し、鍵盤蓋の移動時に捩れを生じさせない。
【００２６】
ガイド部５０は、図１及び図６〜図８に示すように鍵盤蓋３０の開閉動作が行なわれるように設定されている。これを図５を参照しつつ、以下に説明する。
【００２７】
第２ガイド部５２のラック５２０の前部は、前端から後方へ緩やかに下降するように延びた前段保高部５２２とされている。鍵盤蓋３０は、開放の進行と共に、図６に示す位置より後方の位置、すなわち、開放終部の動作範囲に至る。この動作範囲に対応して、第２ガイド部５２は、後部支持部３２０を案内する部位が、後方へ行くに従って落ち込むように弧状に傾斜した落ち込み部５２３とされている。
【００２８】
落ち込み部５２３は次の理由から鍵盤蓋３０の開放終部の位置に対応して設けるのが望ましい。落ち込み部５２３の開始位置を鍵盤蓋の開放過程の早い段階、すなわち、後蓋３２の前端が天板１３前端の下方まで後退する前の段階から、落ち込み部５２５による後蓋３２後部の下降が始まると、その下降と共に演奏者等から楽器本体１の内部が見えることとなり、外観を損ねる。したがって、落ち込み部５２３は、後蓋３２の前端が天板１３の下方に達した後の移動過程に対応して設けられるのが望ましい。また、演奏者等による斜め上方からの視線を考慮すれば、後蓋３２の前端が天板１３の下方に達した時に、後蓋３２と天板１３との隙間と等しい距離だけさらに後方へ移動した位置から後の移動過程に対応して、落ち込み部５２３を設けるのが望ましい。
【００２９】
一方、落ち込み部５２３の始点が過度に後方にあると、落ち込み部５２３の傾斜が急峻となりすぎ、後蓋３２の重量が鍵盤蓋３０を下方へ引く力が強くなり、下降速度の増大を生じやすい。落ち込み部の傾斜角は、後蓋の前後方向の寸法、重量、落ち込み距離等に応じて決められる。これらの観点から、開蓋過程における落ち込み部の始点は、鍵盤蓋３０の開放終部であって、傾斜角が急峻となりすぎない位置とするのが望ましい。
【００３０】
この実施形態では、落ち込み部５２３の始点は、鍵盤蓋３０の開放終部であって、後方への移動量より下降量が多くなる箇所、すなわち、第２ガイド部の傾斜角（第２ガイド部の接線が水平線に対してなす角）が４５°より大きくなる箇所とされている。
【００３１】
また、図５に示すように、落ち込み部５２３の傾斜は、落ち込み前部５２３ａにおいては、前段保高部５２２から次第に急峻となるが、それより後方の落ち込み後部５２３ｂでは一定角度の傾斜とされている。
【００３２】
第１ガイド部５１は、前部支持部３１１及び中間支持部３１２を鍵盤蓋３０の開閉動作範囲の始端から終端に亘って案内するように、鍵より上方の位置で延びており、前端が楽器ケース１０の側壁前端部に位置し、後部は第２ガイド部５２の上方において該前端より後方まで延びている。このように、第１ガイド部５１の後部を第２ガイド部５２の前端より後方まで延ばすことにより、鍵盤蓋の全移動範囲に亘って前部支持部３１１及び中間支持部３１２を安定的に案内することができる。そして、後部支持部３２０の１対のピニオン３２２が軸棒３２１を介して第２ガイド部５２のラック５２１上で同期回転しつつ移動することと相俟って、鍵盤蓋３０の正確で安定した開閉動作が保証される。
【００３３】
第１ガイド部５１は、詳細には以下の部分を備えている。すなわち、第１ガイド部５１は、口棒１４の上端から上方へ延びた立ち上がり部５１０の上端から、全体的に水平に延びるか又は後方へ行くにしたがって緩やかに上昇する保高部が延び、その途中の２箇所に、より強い傾斜で上昇する上昇部が設けられている。保高部は、立ち上がり部５１０の上端に位置して後方へ緩やかに上昇する第１保高部５１１，中間部に位置するほぼ水平な第２保高部５１２，後部に位置するほぼ水平な第３保高部５１３からなる。そして、第１保高部５１１と第２保高部５１２の間に第１上昇部５１５が位置し、第２保高部５１２と第３保高部５１３との間に第２上昇部５１６が位置している。
【００３４】
第１上昇部５１５は、上昇の始点５１５ａが落ち込み部５２３の落ち込み前部５２３ａの始点と一致した位置に設けられている。すなわち、第１上昇部５１５は、後部支持部３２０（ピニオン３２２）が落ち込み前部５２３ａの始点に位置するときに、前部支持部３１１が第１上昇部５１５の上昇の始点５１５ａに位置するように設けられている。
【００３５】
第２上昇部５１６は、上昇の始点５１６ａが落ち込み部５２３の落ち込み後部５２３ｂの始点と一致した位置に設けられている。すなわち、第２上昇部５１６は、後部支持部３２０（ピニオン３２２）が落ち込み後部５２３ｂの始点に位置するときに、中間支持部３１２が第２上昇部５１６の上昇の始点５１６ａに位置するように設けられている。これら第１上昇部５１５及び第２上昇部５１６の傾斜角及び長さは、後蓋３２の下降に対する制動作用及び前蓋３１と天板１３との衝突の回避を考慮して決められる。
【００３６】
第１ガイド部５１及び第２ガイド部５２には、側板１１の上面から下方へ延びる縦溝１１１、１１２が各々連通している。楽器本体の組立時には、前部支持部３１１及び中間支持部３１２のピンは縦溝１１１を通じ、後部支持部３２０の軸部３２４は縦溝１１２を通じて、各々第１ガイド部５１及び第２ガイド部５２に導入される。
【００３７】
次に、この実施形態に係るスライド蓋機構の作用について説明する。図１の閉蓋状態から鍵盤蓋を開く場合、開放の進行状態に伴って各支持部のガイド部５０に対する位置は次のように変化し、ガイド部が各段階に必要な機能を果たす。
【００３８】
（１）鍵盤蓋が開放の初期〜中間位置にある図１〜図６の状態
・後部支持部３２０：第２ガイド部５２の前段保高部５２２
・前部支持部３１１：第１ガイド部５１の立ち上がり部５１０〜第１保高部５１１
・中間支持部３１２：第１ガイド部５１の第１上昇部５１５〜第２保高部５１２
［ガイド部の機能］後部支持部３２０が前段保高部５２２を移動するので後蓋３２は、下降量がわずかであり制動を必要とせず、各ガイド部は鍵盤蓋を後方へ案内する。
【００３９】
（２）鍵盤蓋が開放終期の始点にある図６の状態
・後部支持部３２０：第２ガイド部５２の落ち込み前部５２３ａの始点
・前部支持部３１１：第１ガイド部５１の第１上昇部５１５の始点
・中間支持部３１２：第１ガイド部５１の第２保高部５１２
［ガイド部の機能］後部支持部３２０が落ち込み前部５２３ａ（落ち込み部５２３）の始点に到達し、制動作用がなければこれ以後に後蓋３２の下降が加速する。しかしながら、前部支持部３１１が第１上昇部５１５の始点に位置し、前蓋３１の前部を持ち上げ始めるので、後蓋３２の加速が抑制され、移動速度の増大が緩和される。
【００４０】
（３）鍵盤蓋が開放終部の後半に位置する図７の状態
・後部支持部３２０：第２ガイド部５２の落ち込み後部５２３ｂの始点
・前部支持部３１１：第１ガイド部５１の第２保高部５１２
・中間支持部３１２：第１ガイド部５１の第２上昇部５１６の始点
［ガイド部の機能］後部支持部３２０が落ち込み後部５２３ｂの始点に到達し、ガイドの傾斜角がより急峻となるため、制動作用がなければこれ以後に後蓋３２の下降が加速する。しかしながら、中間支持部３１２が第２上昇部５１６の始点に位置し、前蓋３１の後部部を持ち上げ始める。したがって、後蓋３２の加速が前蓋３１の上昇によって抑制され、移動速度の増大が緩和される。
【００４１】
（４）鍵盤蓋が完全に開放されたとき（図８の状態）
・後部支持部３２０：第２ガイド部５２の落ち込み部５２３の下端部
・前部支持部３１１：第１ガイド部５１の第２保高部５１２
・中間支持部３１２：第１ガイド部５１の第３保高部５１３の終端
［ガイド部の機能］中間支持部３１２が第３保高部５１３の終端に当接する。これにより、前蓋３１及び後蓋３２は、前部支持部３１１及び後部支持部３２０と共に移動を停止し、全開状態となる。
【００４２】
このスライド蓋機構によれば、以上のようにして、開蓋時に後蓋３２を落ち込み部５２３へ案内して楽器ケース１０の後部下方へと移動させるので、楽器本体１の前後方向の寸法を小さくすることができる。そして、後蓋３２が落ち込み部５２３を下降する際には、後部支持部３２０が落ち込み前部５２３ａの始点に到達するのに対応して前部支持部３１１が第１上昇部５１５の始点に到達し、後部支持部３２０が落ち込み後部５２３ｂの始点に到達するのに対応して中間支持部３１２が第２上昇部５１６の始点に到達するので、制動がなければ後蓋３２の下降が加速されるタイミングで前蓋３１の上昇が制動作用をなし、移動速度の増大が効果的に抑制される。その結果、制動用ばねの装備等で装置を複雑化させることなく、後蓋３２の下降速度を抑制し、鍵盤蓋３０を開く際の移動速度を緩慢化させることができる。
【００４３】
なお、この効果を得るには、２つの上昇部５１５，５１６の内、少なくともいずれか一方の上昇の始点が落ち込み部５２３の下降初期の位置と対応した位置に設けられていればよく、或いは、両方の上昇部の上昇始点が落ち込み部５２３の下降初期の位置と対応したものとされていればよい。また、後蓋３２の下降の制動に要する力が小さくてすむ場合は、上昇部を一つとし、前部支持部３１１及び中間支持部３１２のいずれか一方に対して設けてもよい。
【００４４】
鍵盤蓋３０を閉じる際には、前述と逆の動作が行なわれる。すなわち、閉蓋のためには、鍵盤蓋３０を前方に移動させて後蓋３２を引き上げる必要があるが、後部支持部３２０を上昇させる途中で、中間支持部３１２が第２上昇部５１６を下降し、次に前部支持部３１１が第１上昇部５１５を下降するので、その都度引き上げに要する力が軽減される。したがって、閉蓋に要する力も少なくてすむ。
【００４５】
また、第１ガイド部５１は、前部支持部３１１及び中間支持部３１２を鍵盤蓋３０を開閉動作範囲の始端から終端に亘って鍵の上方で案内する。したがって、鍵盤蓋の移動を鍵より上方で行なうために鍵盤蓋が乗り上げながら移動する支持部のような鍵の前後方向中間位置から後方へ延びる支持部を備える必要がなく、鍵盤蓋の左右の端部を手で持って開く動作をしても、鍵の前後方向中間位置で手を強く衝突させる畏れがない。さらに、上記のような鍵の前後方向中間位置から後方へ延びる支持部を備えた場合は、鍵盤蓋が該支持部上に乗り上げる際の衝突音、並びに支持部上で移動する際の摩擦や摩擦音が生じる点でも好ましくない。これに対し、この実施形態では、前部支持部３１１及び中間支持部３１２が、第１ガイド部５１によって鍵盤蓋３０の開閉動作範囲の始端から終端まで連続的に案内されるので、上記のような問題を生じない。
【００４６】
さらに、第１ガイド部５１は楽器ケース１０の側壁内面に溝として形成され、前部支持部３１１及び中間支持部３１２は、鍵盤蓋３０から両側方に突出し、第１ガイド部５１の溝に係合して案内されるので、鍵盤蓋をガイドするために楽器正面から見える切欠き等を設ける必要がなく、その切欠きを設けた場合のような外観の低下がなく、切欠きから鍵盤上へ埃が侵入するという問題も生じない。
【００４７】
また、前部支持部３１１は前蓋３１の垂下板３１０の下端部に設けられ、第１ガイド部５１の立ち上がり部５１０は、垂下板３１０を鍵盤前方を覆う位置と白鍵前端より高い位置との間で上下動させ得るように上下方向に延びている。したがって、鍵盤蓋３０を開く際には、前部支持部３１１を立ち上がり部５１０の下端から上端まで引き上げるように前蓋３１の前端を上昇させる操作をすることになる。この上昇は、前蓋３１が主としてヒンジ３３を中心に回動する動作をすることによって行なわれ、その後に鍵盤蓋３０全体を後方へ押す操作が行なわれる。したがって、最初の上昇操作は、前蓋３１前端の上昇に要する力で済み、操作が楽に行なわれる。
【００４８】
このように、開蓋時の最初の操作を前蓋３１の回転で行なえるように、前蓋３１及び後蓋３２は、下端部において相互に連結されており、前蓋３１及び後蓋３２の相互に向き合う面は、前蓋３１の回転時に衝突しないように切り欠かれている。すなわち、前蓋３１の後端面は下部から上部へ向かって前方へ傾斜し、後蓋３２の前端面は下部から上部へ向かって後方へ傾斜している。
【００４９】
なお、この実施形態では、後蓋３２の後端部に起立板３２５が固定されているので、鍵盤蓋３０上に載せた筆記用具等の物品が楽器ケース内に落下するのを防止する作用を得ることができる。鍵盤蓋は、図１のように前蓋３１と後蓋３２との連結部が凹状となっている場合があり、図示のものより水平に近い場合もある。したがって、鉛筆、ペン、消しゴム等の物品が鍵盤蓋上に載置された状態となることがある。この状態で鍵盤蓋を開くと、載置されていた物品は、後方へ移動し、傾斜する鍵盤蓋から落下して楽器ケースの中に落ちてしまう畏れがある。これに対して、この実施形態では、後蓋３２の後端部に起立板３２５が固定されているので、開蓋と共に鍵盤蓋の後端部まで落下した物品は起立板３２５によって受け止められる。したがって、閉蓋時には、物品は起立板３２５に保持された状態で、閉じた鍵盤蓋と共に戻ってくることになる。これにより、楽器ケース内への落下が防止される。
【００５０】
上記実施形態では、中間支持部３１２を前蓋３１の後端部に設けたが、後蓋３２の前端部に設けることもできる。この場合にも、前蓋３１後端部と後蓋３２前端部はヒンジ３３（連結部）を介して連結されているので、ほぼ同様の動作が得られる。但し、中間支持部３１２を後蓋３２の前端より後寄りに設けると、開蓋動作に伴って後蓋３２の後端部が下降したときに、後蓋３２が中間支持部３１２を中心として回動し、その前端部が上昇することになる。その上昇量によっては、後蓋３２の前端が天板１３に衝突する場合がある。したがって、中間支持部３１２は、前蓋３１の後端部に設ける方がこの衝突を回避し易い。或いはまた、ヒンジ３３の回転軸を鍵盤蓋の左右へ突出させ、第１ガイド部５１の溝に挿入させ、この突出部分を中間支持部としてもよい。この場合、ヒンジの回転軸は、ガイド用の支持部として機能する強度を有したものとされる。いずれの場合も、前部支持部３１１及び中間支持部３１２は、前蓋３１又は後蓋３２から突出した軸に回転自在にローラを嵌挿することにより、移動をより円滑にすることができる。
【００５１】
また、上記実施形態では、前部支持部３１１及び中間支持部３１２を案内するための第１ガイド部５１が１本のガイドラインで形成されていた。このように、１本のガイドラインで第１ガイド部５１を構成することにより、スライド蓋機構を簡単な構造とすることができ、必要な寸法を確保して高い耐久性を得ることができる等、楽器ケース内の限られたスペースへの適用が容易となる。
【００５２】
しかしながら、本発明はこれに限定されるものではなく、各支持部に対してガイドラインを別個に設け、複数ガイドラインで第１ガイド部５１を形成することもできる。また、ガイドラインを一部共通にし、途中で複数のガイドラインに分岐したものとすることもできる。図９は、複数のガイドラインからなる第１ガイド部５１を備えたスライド蓋機構の例を示している。図１０はその要部の断面図であり、(a), (b), (c) は各々図９におけるa−a線、b−b線、c−c線に沿う断面におけるガイド部を中心に示している。
【００５３】
この例では、前部支持部３１１のための前部ガイドライン５１ａは幅広の浅い溝で形成され、中間支持部３１２のための後部ガイドライン５１ｂは幅が狭く深い溝で形成されており、これらの一部は同じ中心線上に延びている。そして、これらの溝形状に対応して、図１０に示すように、前部支持部３１１は径が太くて短く、中間支持部３１２は径が細くて長いものとされている。図９に示すように、前部ガイドライン５１ａは、図１に示した実施形態の第１ガイド部５１と同じラインに沿って前端から延び、図９のc−c線を僅かに越えた位置で終わっている。一方、後部ガイドライン５１ｂは、前部ガイドライン５１ａにおけるa−a線より僅か前方の位置から前部ガイドライン５１ａに重なって延びた後、a−a線の位置で前部ガイドライン５１ａよりも上昇量を減じることにより、前部ガイドライン５１ａから外れた位置へ延びている。さらに後部ガイドライン５１ｂは、c−c線の位置付近で再び前部ガイドライン５１ａと重なって延び、前部ガイドライン５１ａの終端を越えた後は、後部ガイドライン５１ｂ単独で図１の第１ガイド部５１と同じ位置に延びて終端に至っている。
【００５４】
この第１ガイド部５１による鍵盤蓋３０の案内は次のように行なわれる。鍵盤蓋３０が閉じられた状態では、図１に示したのと同様の位置をとり、前部支持部３１１が前部ガイドライン５１ａの前端（口棒１４の直上）に位置し、中間支持部３１２が後部ガイドライン５１ｂにおけるb−b線で示す箇所に位置する。この状態から鍵盤蓋３０を開いて行くと、前部支持部３１１及び中間支持部３１２が後方へ移動し、後部支持部３２０は図１の実施形態と同じ動きをする。このとき、後部支持部３２０は、前部ガイドライン５１ａの第１上昇部５１５を経ることなく、後部ガイドライン５１ｂに案内されてなだらかに上昇してc−c線の位置に至る。図１の実施形態では、開蓋動作初期に後部支持部３２０を第１上昇部５１５に上昇させるのに或る程度大きな力を要したが、この実施形態ではその必要がない。
【００５５】
後部支持部３２０が落ち込み部５２３に到達した後は、図１の実施形態と同様に、前部ガイドライン５１ａの第１上昇部５１５、及び後部ガイドライン５１ｂの第２上昇部５１６により後蓋３２の加速が抑制され、移動速度の増大が緩和される。
【００５６】
このように、第１ガイド部５１を複数のガイドラインで構成することにより、鍵盤蓋３０の動作をより細かく設定することができ、より円滑な開閉動作を得ることができる。なお、溝状の前部ガイドライン５１ａと後部ガイドライン５１ｂとが溝深さ方向に見て交差している箇所においても、各ガイドラインの深さ及びこれらに挿入される前部支持部３１１及び後部支持部３２０の長さが異なるので、交差箇所の溝壁で移動が妨げられることはない。但し、溝の浅い前部ガイドライン５１ａを移動する前部支持部３１１は、図１０(d) に示すように断面が移動方向Ｄ51aに長い長円形のピンとすることにより、後部ガイドライン５１ｂとの交差箇所をより滑らかに移動させることができる。
【００５７】
以上、本発明の実施形態について説明したが、本発明はこれらに限定されるものではなく、種々の変更が可能である。
【００５８】
例えば、第２ガイド部５２及び後部支持部３２０は、ラックとピニオンで構成するのに代えて、第１ガイド部５１と同様の溝状ガイド及びこれに係合するピンとすることもできる。この場合は、ラックとピニオンによる鍵盤蓋左右での同期動作は得られないが、開閉動の案内精度を高めること等により、開閉時に鍵盤蓋が左右に振れるのを防止することができる。
【００５９】
鍵盤蓋の全開時の停止は、上記実施形態では、中間支持部３１２が第３保高部５１３の終端に当接することによって得ていたが、これに代えて、後部支持部３２０が落ち込み部５２３の終端に当接することによって得ることもできる。また、停止のために鍵盤蓋のいずれかの部分に当接又は係止するストッパを別個に設けてもよい。
【符号の説明】
【００６０】
１：楽器本体、    １０：楽器ケース、    １１：側板、    ２０：鍵盤装置、    ３０：鍵盤蓋、    ３１：前蓋、    ３２：後蓋、    ３３：ヒンジ（連結部）、    ５０：ガイド部、    ５１  第１ガイド部、    ５２  第２ガイド部、    ５１ａ：前部ガイドライン、    ５１ｂ：後部ガイドライン、    ３１０：垂下板、    ３１１：前部支持部、    ３１２：中間支持部、    ３２０：後部支持部、    ５２３：落ち込み部
【図１】
2010224139.tif 000003
【図２】
2010224139.tif 000004
【図３】
2010224139.tif 000005
【図４】
2010224139.tif 000006
【図５】
2010224139.tif 000007
【図６】
2010224139.tif 000008
【図７】
2010224139.tif 000009
【図８】
2010224139.tif 000010
【図９】
2010224139.tif 000011
【図１０】
2010224139.tif 000012
【図１１】
2010224139.tif 000013
【図１２】
2010224139.tif 000014